(57)【要約】【課題】シール部と固着部との間に形成された空隙内の過度な圧力上昇を抑制することにより、品質向上及び信頼性向上を図ることができる医療器具及びその製造方法を提供する。【解決手段】液相部ケースＣａ及び気相部ケースＣｂを合致して形成されたケースＣと、液相部ケースＣａで覆われた液相部Ｓ１及び気相部ケースＣｂで覆われた気相部Ｓ２を区画する弾性部材から成る膜部材Ｍと、液相部ケースＣａ及び気相部ケースＣｂを合致した状態で固着する固着部Ｑ２、Ｑ３と、膜部材Ｍの周縁を挟持する挟持面ｍ１、ｍ２と、挟持面ｍ１、ｍ２で挟持された膜部材Ｍを全周縁に亘ってシールするシール部Ｑ１とを具備した圧力検出器１０において、固着部Ｑ２、Ｑ３とシール部Ｑ１との間に形成された空隙α内の圧力を逃がす逃がし部１１が形成されたものである。【選択図】図１１
2019219363.tif 000002
【特許請求の範囲】
【請求項１】
第１ケース部及び第２ケース部を合致して形成され、内部に収容空間を有するケースと、
前記ケースに取り付けられて前記第１ケース部で覆われた第１収容空間及び第２ケース部で覆われた第２収容空間を区画する弾性部材から成る弾性膜と、
前記第１ケース部及び第２ケース部のそれぞれの周縁部に形成され、当該第１ケース部及び第２ケース部を合致した状態で固定する固定部と、
前記第１ケース部及び第２ケース部のそれぞれの周縁部に形成され、前記弾性膜の周縁を挟持する挟持面と、
前記第１ケース部又は第２ケース部の周縁部における前記固定部より内側に形成され、前記挟持面で挟持された前記弾性膜を全周縁に亘ってシールするシール部と、
を具備した医療器具において、
前記固定部とシール部との間に形成された空隙内の圧力を逃がす逃がし部が形成されたことを特徴とする医療器具。
【請求項２】
前記逃がし部は、前記第１ケース部及び第２ケース部が固定部により固定される際に前記空隙内に生じる圧力を逃がすことを特徴とする請求項１記載の医療器具。
【請求項３】
前記ケースは、液体の流路に接続可能とされ、前記第１収容空間が前記流路の液体を充填し得る液相部、前記第２収容空間が気体を充填し得る気相部とされるとともに、前記弾性膜は、前記液相部と気相部とを区画して前記液相部に充填された液体の圧力に応じて変位可能な膜部材から成り、前記気相部の圧力を検出することにより前記流路における液体の圧力を検出する圧力検出器から成ることを特徴とする請求項１又は請求項２記載の医療器具。
【請求項４】
前記逃がし部は、前記空隙と前記ケースの外部とを連通する連通部から成ることを特徴とする請求項１〜３の何れか１つに記載の医療器具。
【請求項５】
前記連通部は、前記第１ケース部及び第２ケース部が固定部により固定される際に前記空隙内に生じる圧力を逃がすとともに、当該連通部の開口縁部に形成された突出部位が溶融して、又は別体の栓部材若しくはフィルタ部材により閉塞されたことを特徴とする請求項４記載の医療器具。
【請求項６】
前記逃がし部は、前記第１ケース部又は第２ケース部の前記挟持面に形成され、前記空隙と前記第１収容空間又は第２収容空間とを連通する連通溝から成り、前記第１ケース部及び第２ケース部が固定部により固定される際に前記空隙内に生じる圧力を逃がすとともに、前記弾性膜により閉塞されて成ることを特徴とする請求項１〜３の何れか１つに記載の医療器具。
【請求項７】
前記逃がし部は、前記第１ケース部又は第２ケース部における前記固定部の一部に形成された切欠き部から成ることを特徴とする請求項１〜３の何れか１つに記載の医療器具。
【請求項８】
前記切欠き部は、前記第１ケース部及び第２ケース部が固定部により固定される際に前記空隙内に生じる圧力を逃がすとともに、前記固定部又はその周辺部位の溶融又は変形によって閉塞されて成ることを特徴とする請求項７記載の医療器具。
【請求項９】
前記逃がし部は、前記第１ケース部及び第２ケース部が固定部により固定される際に前記空隙内に生じる圧力によって膨張又は変位して当該圧力を逃がすことを特徴とする請求項１〜３の何れか１つに記載の医療器具。
【請求項１０】
第１ケース部及び第２ケース部を合致して形成され、内部に収容空間を有するケースと、
前記ケースに取り付けられて前記第１ケース部で覆われた第１収容空間及び第２ケース部で覆われた第２収容空間を区画する弾性部材から成る弾性膜と、
前記第１ケース部及び第２ケース部のそれぞれの周縁部に形成され、当該第１ケース部及び第２ケース部を合致した状態で固定させた固定部と、
前記第１ケース部及び第２ケース部のそれぞれの周縁部に形成され、前記弾性膜の周縁を挟持する挟持面と、
前記第１ケース部又は第２ケース部の周縁部における前記固定部より内側に形成され、前記挟持面で挟持された前記弾性膜を全周縁に亘ってシールするシール部と、
を具備した医療器具の製造方法において、
前記固定部とシール部との間に形成された空隙内の圧力を逃がすことを特徴とする医療器具の製造方法。
【請求項１１】
前記第１ケース部及び第２ケース部が固定部により固定される際に前記空隙内に生じる圧力を逃がすことを特徴とする請求項１０記載の医療器具の製造方法。
【請求項１２】
前記ケースは、液体の流路に接続可能とされ、前記第１収容空間が前記流路の液体を充填し得る液相部、前記第２収容空間が気体を充填し得る気相部とされるとともに、前記弾性膜は、前記液相部と気相部とを区画して前記液相部に充填された液体の圧力に応じて変位可能な膜部材から成り、前記気相部の圧力を検出することにより前記流路における液体の圧力を検出する圧力検出器から成ることを特徴とする請求項１０又は請求項１１記載の医療器具の製造方法。
【請求項１３】
前記空隙と前記ケースの外部とを連通する連通部によって前記空隙内の圧力を逃がすことを特徴とする請求項１０〜１２の何れか１つに記載の医療器具の製造方法。
【請求項１４】
前記第１ケース部及び第２ケース部が固定部により固定される際に前記空隙内に生じる圧力を前記連通部により逃がすとともに、当該連通部の開口縁部に形成された突出部位が溶融して、又は別体の栓部材若しくはフィルタ部材により閉塞することを特徴とする請求項１３記載の医療器具の製造方法。
【請求項１５】
前記第１ケース部又は第２ケース部の前記挟持面に形成され、前記空隙と前記第１収容空間又は第２収容空間とを連通する連通溝によって、前記第１ケース部及び第２ケース部が固定部により固定される際に前記空隙内に生じる圧力を逃がすとともに、前記弾性膜により閉塞することを特徴とする請求項１０〜１２の何れか１つに記載の医療器具の製造方法。
【請求項１６】
前記第１ケース部又は第２ケース部における前記固定部の一部に形成された切欠き部によって前記空隙内の圧力を逃がすことを特徴とする請求項１０〜１２の何れか１つに記載の医療器具の製造方法。
【請求項１７】
前記切欠き部は、前記第１ケース部及び第２ケース部が固定部により固定される際に前記空隙内に生じる圧力を逃がすとともに、前記固定部又はその周辺部位の溶融又は変形によって閉塞することを特徴とする請求項１６記載の医療器具の製造方法。
【請求項１８】
前記第１ケース部及び第２ケース部が固定部により固定される際に前記空隙内に生じる圧力によって逃がし部を膨張又は変位させて当該圧力を逃がすことを特徴とする請求項１０〜１２の何れか１つに記載の医療器具の製造方法。
【請求項１９】
前記第１ケース部及び第２ケース部を合致した状態で治具に固定させ、前記挟持面で挟持された前記弾性膜を全周縁に亘ってシールするとともに、前記治具は、前記固定部とシール部との間に形成された空隙内の圧力を逃がす治具逃がし部が形成されたことを特徴とする請求項１０〜１８の何れか１つに記載の医療器具の製造方法。
【発明の詳細な説明】
【技術分野】
【０００１】
本発明は、第１ケース部で覆われた第１収容空間及び第２ケース部で覆われた第２収容空間を区画する弾性膜を具備した医療器具及びその製造方法に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化器）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
血液回路を体外循環する血液の圧力を検出するため、例えば特許文献１にて開示されているように、血液回路に接続可能なケースと、ケース内に取り付けられ、血液回路の血液を充填し得る液相部と、空気を充填し得る気相部とを区画するとともに、液相部に充填された血液の圧力に応じて変位可能なダイヤフラム（膜部材）とを具備し、気相部の圧力を圧力検出センサにて検出することにより血液の圧力を検出し得る圧力検出器が提案されている。かかる従来の圧力検出器によれば、液相部と気相部とが膜部材にて区画されているため、血液が気相部内の空気に触れてしまうのを回避しつつ血液回路内の血液の圧力を精度よく検出することができる。
【先行技術文献】
【特許文献】
【０００４】
【特許文献１】特表２０１７−５０４３８９号公報
【発明の概要】
【発明が解決しようとする課題】
【０００５】
しかしながら、上記従来の圧力検出器においては、半割りのケース（第１ケース部及び第２ケース部）を合致させつつそれら第１ケース部及び第２ケース部の周縁部を超音波溶着等にて固定させる際、第１ケース部又は第２ケース部に形成されたシール部によりダイヤフラムを全周縁に亘ってシールさせていたので、シール部と固定部（溶着部）との間に密閉空間が形成され、溶着の過程において密閉空間内の圧力が過度に上昇してしまう虞があった。
【０００６】
しかして、密閉空間内の圧力が過度に上昇してしまうと、例えば、製造後の高圧蒸気滅菌を施す場合、アニール処理を施す場合又は使用環境が高温となる場合、密閉空間内の圧力が更に上昇してダイヤフラムが径方向にずれてしまい、シール性能が低下して不良品又は故障品となってしまう虞があった。特に、第１ケース部及び第２ケース部を固定させる際、超音波溶融等の圧入を伴う場合、密閉空間内の圧力上昇は顕著であり、ダイヤフラムが径方向にずれる可能性は高くなってしまう。
【０００７】
なお、このような問題は、ダイヤフラムを具備した圧力検出器に限らず、第１ケース部及び第２ケース部内の収容空間を弾性膜にて区画して構成された他の医療器具においても同様に生じるものである。本出願人は、このような医療器具に対して、シール部と固定部との間に形成された空隙内の過度な圧力上昇を抑制し、品質向上及び信頼性向上を図ることを鋭意検討するに至った。
【０００８】
本発明は、このような事情に鑑みてなされたもので、シール部と固定部との間に形成された空隙内の過度な圧力上昇を抑制することにより、品質向上及び信頼性向上を図ることができる医療器具及びその製造方法を提供することにある。
【課題を解決するための手段】
【０００９】
請求項１記載の発明は、第１ケース部及び第２ケース部を合致して形成され、内部に収容空間を有するケースと、前記ケースに取り付けられて前記第１ケース部で覆われた第１収容空間及び第２ケース部で覆われた第２収容空間を区画する弾性部材から成る弾性膜と、前記第１ケース部及び第２ケース部のそれぞれの周縁部に形成され、当該第１ケース部及び第２ケース部を合致した状態で固定する固定部と、前記第１ケース部及び第２ケース部のそれぞれの周縁部に形成され、前記弾性膜の周縁を挟持する挟持面と、前記第１ケース部又は第２ケース部の周縁部における前記固定部より内側に形成され、前記挟持面で挟持された前記弾性膜を全周縁に亘ってシールするシール部とを具備した医療器具において、前記固定部とシール部との間に形成された空隙内の圧力を逃がす逃がし部が形成されたことを特徴とする。
【００１０】
請求項２記載の発明は、請求項１記載の医療器具において、前記逃がし部は、前記第１ケース部及び第２ケース部が固定部により固定される際に前記空隙内に生じる圧力を逃がすことを特徴とする。
【００１１】
請求項３記載の発明は、請求項１又は請求項２記載の医療器具において、前記ケースは、液体の流路に接続可能とされ、前記第１収容空間が前記流路の液体を充填し得る液相部、前記第２収容空間が気体を充填し得る気相部とされるとともに、前記弾性膜は、前記液相部と気相部とを区画して前記液相部に充填された液体の圧力に応じて変位可能な膜部材から成り、前記気相部の圧力を検出することにより前記流路における液体の圧力を検出する圧力検出器から成ることを特徴とする。
【００１２】
請求項４記載の発明は、請求項１〜３の何れか１つに記載の医療器具において、前記逃がし部は、前記空隙と前記ケースの外部とを連通する連通部から成ることを特徴とする。
【００１３】
請求項５記載の発明は、請求項４記載の医療器具において、前記連通部は、前記第１ケース部及び第２ケース部が固定部により固定される際に前記空隙内に生じる圧力を逃がすとともに、当該連通部の開口縁部に形成された突出部位が溶融して、又は別体の栓部材若しくはフィルタ部材により閉塞されたことを特徴とする。
【００１４】
請求項６記載の発明は、請求項１〜３の何れか１つに記載の医療器具において、前記逃がし部は、前記第１ケース部又は第２ケース部の前記挟持面に形成され、前記空隙と前記第１収容空間又は第２収容空間とを連通する連通溝から成り、前記第１ケース部及び第２ケース部が固定部により固定される際に前記空隙内に生じる圧力を逃がすとともに、前記弾性膜により閉塞されて成ることを特徴とする。
【００１５】
請求項７記載の発明は、請求項１〜３の何れか１つに記載の医療器具において、前記逃がし部は、前記第１ケース部又は第２ケース部における前記固定部の一部に形成された切欠き部から成ることを特徴とする。
【００１６】
請求項８記載の発明は、請求項７記載の医療器具において、前記切欠き部は、前記第１ケース部及び第２ケース部が固定部により固定される際に前記空隙内に生じる圧力を逃がすとともに、前記固定部又はその周辺部位の溶融又は変形によって閉塞されて成ることを特徴とする。
【００１７】
請求項９記載の発明は、請求項１〜３の何れか１つに記載の医療器具において、前記逃がし部は、前記第１ケース部及び第２ケース部が固定部により固定される際に前記空隙内に生じる圧力によって膨張又は変位して当該圧力を逃がすことを特徴とする。
【００１８】
請求項１０記載の発明は、第１ケース部及び第２ケース部を合致して形成され、内部に収容空間を有するケースと、前記ケースに取り付けられて前記第１ケース部で覆われた第１収容空間及び第２ケース部で覆われた第２収容空間を区画する弾性部材から成る弾性膜と、前記第１ケース部及び第２ケース部のそれぞれの周縁部に形成され、当該第１ケース部及び第２ケース部を合致した状態で固定させた固定部と、前記第１ケース部及び第２ケース部のそれぞれの周縁部に形成され、前記弾性膜の周縁を挟持する挟持面と、前記第１ケース部又は第２ケース部の周縁部における前記固定部より内側に形成され、前記挟持面で挟持された前記弾性膜を全周縁に亘ってシールするシール部とを具備した医療器具の製造方法において、前記固定部とシール部との間に形成された空隙内の圧力を逃がすことを特徴とする。
【００１９】
請求項１１記載の発明は、請求項１０記載の医療器具の製造方法において、前記第１ケース部及び第２ケース部が固定部により固定される際に前記空隙内に生じる圧力を逃がすことを特徴とする。
【００２０】
請求項１２記載の発明は、請求項１０又は請求項１１記載の医療器具の製造方法において、前記ケースは、液体の流路に接続可能とされ、前記第１収容空間が前記流路の液体を充填し得る液相部、前記第２収容空間が気体を充填し得る気相部とされるとともに、前記弾性膜は、前記液相部と気相部とを区画して前記液相部に充填された液体の圧力に応じて変位可能な膜部材から成り、前記気相部の圧力を検出することにより前記流路における液体の圧力を検出する圧力検出器から成ることを特徴とする。
【００２１】
請求項１３記載の発明は、請求項１０〜１２の何れか１つに記載の医療器具の製造方法において、前記空隙と前記ケースの外部とを連通する連通部によって前記空隙内の圧力を逃がすことを特徴とする。
【００２２】
請求項１４記載の発明は、請求項１３記載の医療器具の製造方法において、前記第１ケース部及び第２ケース部が固定部により固定される際に前記空隙内に生じる圧力を前記連通部により逃がすとともに、当該連通部の開口縁部に形成された突出部位が溶融して、又は別体の栓部材若しくはフィルタ部材により閉塞することを特徴とする。
【００２３】
請求項１５記載の発明は、請求項１０〜１２の何れか１つに記載の医療器具の製造方法において、前記第１ケース部又は第２ケース部の前記挟持面に形成され、前記空隙と前記第１収容空間又は第２収容空間とを連通する連通溝によって、前記第１ケース部及び第２ケース部が固定部により固定される際に前記空隙内に生じる圧力を逃がすとともに、前記弾性膜により閉塞することを特徴とする。
【００２４】
請求項１６記載の発明は、請求項１０〜１２の何れか１つに記載の医療器具の製造方法において、前記第１ケース部又は第２ケース部における前記固定部の一部に形成された切欠き部によって前記空隙内の圧力を逃がすことを特徴とする。
【００２５】
請求項１７記載の発明は、請求項１６記載の医療器具の製造方法において、前記切欠き部は、前記第１ケース部及び第２ケース部が固定部により固定される際に前記空隙内に生じる圧力を逃がすとともに、前記固定部又はその周辺部位の溶融又は変形によって閉塞することを特徴とする。
【００２６】
請求項１８記載の発明は、請求項１０〜１２の何れか１つに記載の医療器具の製造方法において、前記第１ケース部及び第２ケース部が固定部により固定される際に前記空隙内に生じる圧力によって逃がし部を膨張又は変位させて当該圧力を逃がすことを特徴とする。
【００２７】
請求項１９記載の発明は、請求項１０〜１８の何れか１つに記載の医療器具の製造方法において、前記第１ケース部及び第２ケース部を合致した状態で治具に固定させ、前記挟持面で挟持された前記弾性膜を全周縁に亘ってシールするとともに、前記治具は、前記固定部とシール部との間に形成された空隙内の圧力を逃がす治具逃がし部が形成されたことを特徴とする。
【発明の効果】
【００２８】
請求項１、１０の発明によれば、固定部とシール部との間に形成された空隙内の圧力を逃がすので、シール部と固定部との間に形成された空隙内の過度な圧力上昇を抑制することにより、品質向上及び信頼性向上を図ることができる。
【００２９】
請求項２、１１の発明によれば、第１ケース部及び第２ケース部が固定部により固定される際に空隙内に生じる圧力を逃がすので、製造後、医療器具に対して高圧蒸気滅菌を施す場合、アニール処理を施す場合又は使用環境が高温となる場合において、空隙の圧力上昇を抑制することができる。
【００３０】
請求項３、１２の発明によれば、ケースは、液体の流路に接続可能とされ、第１収容空間が流路の液体を充填し得る液相部、第２収容空間が気体を充填し得る気相部とされるとともに、弾性膜は、液相部と気相部とを区画して液相部に充填された液体の圧力に応じて変位可能な膜部材から成り、気相部の圧力を検出することにより流路における液体の圧力を検出する圧力検出器から成るので、シール部と固定部との間に形成された空隙内の過度な圧力上昇を抑制することにより、圧力検出器の品質向上及び信頼性向上を図ることができる。
【００３１】
請求項４、１３の発明によれば、空隙とケースの外部とを連通する連通部によって空隙内の圧力を逃がすので、より確実且つ円滑に空隙内の過度な圧力上昇を抑制することができる。
【００３２】
請求項５、１４の発明によれば、第１ケース部及び第２ケース部が固定部により固定される際に空隙内に生じる圧力を連通部により逃がすとともに、当該連通部の開口縁部に形成された突出部位が溶融して、又は別体の栓部材若しくはフィルタ部材により閉塞するので、製造後の医療器具に連通部が残ってしまうのを回避することができ、当該連通部の開口から異物等が侵入してしまうのを防止することができる。
【００３３】
請求項６、１５の発明によれば、第１ケース部又は第２ケース部の挟持面に形成され、空隙と第１収容空間又は第２収容空間とを連通する連通溝によって、第１ケース部及び第２ケース部が固定部により固定される際に空隙内に生じる圧力を逃がすとともに、弾性膜により閉塞するので、シール部と固定部との間に形成された空隙内の過度な圧力上昇を抑制することができるとともに、空隙内の圧力を逃がした後に連通溝を自然と閉塞させることができる。
【００３４】
請求項７、１６の発明によれば、第１ケース部又は第２ケース部における固定部の一部に形成された切欠き部によって空隙内の圧力を逃がすので、固定部の形成位置から空隙内の圧力を逃がすことができる。
【００３５】
請求項８、１７の発明によれば、切欠き部は、第１ケース部及び第２ケース部が固定部により固定される際に空隙内に生じる圧力を逃がすとともに、固定部又はその周辺部位の溶融又は変形によって閉塞するので、シール部と固定部との間に形成された空隙内の過度な圧力上昇を抑制することができるとともに、空隙内の圧力を逃がした後に切欠き部を自然と閉塞させることができる。
【００３６】
請求項９、１８の発明によれば、第１ケース部及び第２ケース部が固定部により固定される際に空隙内に生じる圧力によって逃がし部を膨張又は変位させて当該圧力を逃がすので、圧力の変化に応じて膨張又は変位させることによって、シール部と固定部との間に形成された空隙内の過度な圧力上昇を抑制することができる。
【００３７】
請求項１９の発明によれば、第１ケース部及び第２ケース部を合致した状態で治具に固定させ、挟持面で挟持された弾性膜を全周縁に亘ってシールするとともに、治具は、固定部とシール部との間に形成された空隙内の圧力を逃がす治具逃がし部が形成されたので、製造過程において、より確実に空隙内の圧力を逃がすことができるとともに、第１ケース部及び第２ケース部の相対的な位置ずれを抑制して精度よく固定させることができる。
【図面の簡単な説明】
【００３８】
【図１】本発明の第１の実施形態に係る医療器具としての圧力検出器が適用される透析装置（血液浄化装置）を示す模式図
【図２】同圧力検出器を示す平面図
【図３】同圧力検出器を示す正面図
【図４】図２におけるＩＶ−ＩＶ線断面図（膜部材が液相部側に変位した状態）
【図５】図２におけるＩＶ−ＩＶ線断面図（膜部材が気相部側に変位した状態）
【図６】図２におけるＶＩ−ＶＩ線断面図
【図７】同圧力検出器における第１ケース部を示す３面図
【図８】同圧力検出器における第２ケース部を示す３面図
【図９】同圧力検出器における膜部材を示す平面図及び正面図
【図１０】同圧力検出器における逃がし部（連通部）による空隙内の圧力を逃がす作用を説明するための拡大断面図
【図１１】同圧力検出器における逃がし部（連通部）による空隙内の圧力を逃がす作用を説明するための拡大断面図
【図１２】同逃がし部（連通部）を他の位置（空隙部の下部）に形成した場合を示す拡大断面図
【図１３】同逃がし部（連通部）を他の位置（空隙部の側部）に形成した場合を示す拡大断面図
【図１４】本発明の第２の実施形態に係る圧力検出器における逃がし部（連通溝）を示す拡大断面図
【図１５】図１４におけるＸＶ−ＸＶ線断面図
【図１６】同逃がし部（連通溝）が形成された第２ケース部を示す平面図
【図１７】同逃がし部（連通溝）が閉塞された状態を示す拡大断面図
【図１８】図１７におけるＸＶＩＩＩ−ＸＶＩＩＩ線断面図
【図１９】本発明の第３の実施形態に係る圧力検出器における逃がし部（切欠き部）を示す拡大断面図
【図２０】同逃がし部（切欠き部）が形成された第２ケース部を示す平面図
【図２１】同逃がし部（切欠き部）が形成された第２ケース部の固定部と第１ケース部の固定部とを固定させる前の状態を示す拡大断面図
【図２２】同逃がし部（切欠き部）が形成された第２ケース部の固定部と第１ケース部の固定部とを固定させた後の状態を示す拡大断面図
【図２３】本発明の他の実施形態に係る圧力検出器における逃がし部（連通部に形成された可撓性部品）を示す拡大断面図
【図２４】本発明の他の実施形態に係る圧力検出器における逃がし部（凹部に形成された可撓性部品）を示す拡大断面図
【図２５】本発明の他の実施形態に係る圧力検出器における逃がし部（連通部）が閉塞される前の状態を示す拡大断面図
【図２６】同逃がし部（連通部）が閉塞された状態を示す拡大断面図
【図２７】本発明の他の実施形態に係る圧力検出器における逃がし部（連通部に形成された栓部材）を示す拡大断面図
【図２８】本発明の他の実施形態に係る圧力検出器における逃がし部（連通部に形成されたフィルタ部材）を示す拡大断面図
【図２９】本発明の他の実施形態に係る圧力検出器における逃がし部（膜部材Ｍ内に形成された密閉空間）を示す拡大断面図
【図３０】本発明に係る圧力検出器を製造するための治具を示す断面模式図
【図３１】同治具を示す拡大図
【図３２】本発明の他の実施形態に係る圧力検出器（周方向に亘って複数の連通部（開口が丸形状）が形成されたもの）を示す平面図
【図３３】図３２におけるＸａ−Ｘａ断面図
【図３４】本発明の他の実施形態に係る圧力検出器（周方向に亘って複数の連通部（開口が矩形状）が形成されたもの）を示す平面図
【図３５】図３４におけるＸｂ−Ｘｂ断面図
【図３６】本発明の他の実施形態に係る医療器具としてのダイアフラムポンプ（気相部ケースに単一のポートが形成されたもの）を示す平面図
【図３７】図３６におけるＸｃ−Ｘｃ断面図
【図３８】本発明の他の実施形態に係る医療器具としてのダイアフラムポンプ（気相部ケースに５つのポートが形成されたもの）を示す平面図
【図３９】図３８におけるＸｄ−Ｘｄ断面図
【発明を実施するための形態】
【００３９】
以下、本発明の実施形態について図面を参照しながら具体的に説明する。
第１の実施形態に適用される血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化器）と、血液ポンプ４と、静脈側血液回路２に配設されたエアトラップチャンバ５と、ダイアライザ３に透析液を供給及びダイアライザ３からの排液を排出させる透析装置本体６と、置換液としての生理食塩液を血液回路に供給し得る生理食塩液供給ラインＬ３（置換液供給ライン）と、置換液としての生理食塩液を収容した収容手段７とから主に構成されている。
【００４０】
動脈側血液回路１には、その先端に動脈側穿刺針ａがコネクタを介して接続可能とされるとともに、途中にしごき型の血液ポンプ４が配設されている一方、静脈側血液回路２には、その先端に静脈側穿刺針ｂがコネクタを介して接続可能とされるとともに、途中にエアトラップチャンバ５が接続されている。エアトラップチャンバ５は、液体内の気泡を捕捉し得るとともに、濾過網（不図示）が配設されており、例えば返血時の血栓等を捕捉し得るようになっている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００４１】
血液ポンプ４は、動脈側血液回路１に配設されたしごき型ポンプから成り、正転駆動及び逆転駆動可能とされるとともに、血液回路内の液体を駆動方向に流動させ得るものである。すなわち、動脈側血液回路１には、当該動脈側血液回路１を構成する他の可撓性チューブより軟質かつ大径の被しごきチューブが接続されており、血液ポンプ４には、この被しごきチューブを送液方向にしごくためのローラが配設されているのである。このように血液ポンプ４が駆動すると、そのローラが回動して被しごきチューブ（血液回路の一部）をしごき、内部の液体を駆動方向（ローラの回転方向）に流動させることができるのである。
【００４２】
しかして、動脈側穿刺針ａ及び静脈側穿刺針ｂを患者に穿刺した状態で、血液ポンプ４を正転駆動（図中左回転）させると、患者の血液は、動脈側血液回路１を通ってダイアライザ３に至った後、該ダイアライザ３によって血液浄化が施され、エアトラップチャンバ５で除泡がなされつつ静脈側血液回路２を通って患者の体内に戻る。すなわち、患者の血液を血液回路の動脈側血液回路１の先端から静脈側血液回路２の先端まで体外循環させつつダイアライザ３にて浄化するのである。また、血液ポンプ４を逆転駆動（図中右回転）させると、血液回路（動脈側血液回路１における先端と血液ポンプ４の配設位置との間）の血液を患者に返血することができる。
【００４３】
ダイアライザ３は、その筐体部に、血液導入ポート３ａ、血液導出ポート３ｂ、透析液導入ポート３ｃ及び透析液導出ポート３ｄが形成されており、このうち血液導入ポート３ａには動脈側血液回路１が、血液導出ポート３ｂには静脈側血液回路２がそれぞれ接続されている。また、透析液導入ポート３ｃ及び透析液導出ポート３ｄは、透析装置本体６から延設された透析液導入ラインＬ１及び透析液排出ラインＬ２とそれぞれ接続されている。
【００４４】
ダイアライザ３内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、当該中空糸膜を介して血液中の不純物等が透析液内に透過し得るよう構成されている。
【００４５】
一方、透析装置本体６には、透析液導入ラインＬ１及び透析液排出ラインＬ２に跨って複式ポンプ等の送液手段が配設されているとともに、当該送液手段をバイパスするバイパスラインにはダイアライザ３中を流れる患者の血液から水分を除去するための除水ポンプが配設されている。さらに、透析液導入ラインＬ１の一端がダイアライザ３（透析液導入ポート３ｃ）に接続されるとともに、他端が所定濃度の透析液を調製する透析液供給装置（不図示）に接続されている。また、透析液排出ラインＬ２の一端は、ダイアライザ３（透析液導出ポート３ｄ）に接続されるとともに、他端が図示しない排液手段と接続されており、透析液供給装置から供給された透析液が透析液導入ラインＬ１を通ってダイアライザ３に至った後、透析液排出ラインＬ２を通って排液手段に送られるようになっている。
【００４６】
なお、エアトラップチャンバ５の上部からは、オーバーフローラインが延設されており、その途中に電磁弁等のクランプ手段が配設されている。そして、電磁弁等のクランプ手段を開状態とすることにより、オーバーフローラインを介して、血液回路中を流れる液体（プライミング液等）をオーバーフローし得るようになっている。
【００４７】
生理食塩液供給ラインＬ３（置換液供給ライン）は、動脈側血液回路１における血液ポンプ４の配設位置と当該動脈側血液回路１の先端との間においてＴ字管等にて一端が接続され、血液回路内の血液と置換させるための生理食塩液（置換液）を当該動脈側血液回路１に供給可能な流路（例えば可撓性チューブ等）から成るものである。かかる生理食塩液供給ラインＬ３の他端には、所定量の生理食塩液を収容した収容手段７（所謂「生食バッグ」）が接続されているとともに、途中には、エアトラップチャンバ８が接続されている。
【００４８】
また、本実施形態に係る生理食塩液供給ラインＬ３には、クランプ手段９（例えば電磁弁等）が配設されている。かかるクランプ手段９は、生理食塩液供給ラインＬ３を開閉可能として設けられ、流路の閉塞及び開放を行わせ得るもので、当該クランプ手段９を開閉させることにより、生理食塩液供給ラインＬ３の流路を閉塞させる閉塞状態と生理食塩液（置換液）を流通させ得る流通状態とを任意に切り替え可能とされている。なお、このようなクランプ手段９に代えて、手動操作により生理食塩液供給ラインＬ３の流路を閉塞及び開放し得る鉗子等の汎用手段としてもよい。
【００４９】
ここで、本実施形態に適用される血液回路には、医療器具である圧力検出器１０が接続されている。かかる圧力検出器１０は、静脈側血液回路２におけるダイアライザ３とエアトラップチャンバ５との間の位置に接続され、静脈側血液回路２（血液回路）を流れる血液の圧力を検出し得るよう構成されている。具体的には、圧力検出器１０は、図２〜６に示すように、液体の流路（本実施形態においては、静脈側血液回路２（血液回路））に接続可能なケースＣと、ケースＣ内に取り付けられ、流路の液体（本実施形態においては、静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。
【００５０】
ケースＣは、所定の樹脂材等を成形して得られた中空状成形部品から成り、液相部Ｓ１を構成する液相部ケースＣａと、気相部Ｓ２を構成する気相部ケースＣｂとを組み合わせて構成されている。具体的には、ケースＣは、液相部ケースＣａ（第１ケース部）及び気相部ケースＣｂ（第２ケース部）を合致して形成され、内部に収容空間を有するものである。液相部ケースＣａは、液体の流路と接続可能とされて液相部Ｓ１と連通させ得る流入ポートＣ１及び流出ポートＣ２が一体形成されるとともに、気相部ケースＣｂは、後述する配管部Ｋの一端と接続可能とされて気相部Ｓ２と連通させ得る接続ポートＣ３が一体形成されている。なお、流入ポートＣ１及び流出ポートＣ２は、液体の流入と流出が逆（すなわち、流入ポートＣ１により液体が流出し、流出ポートＣ２により液体が流入する構成）になってもよい。
【００５１】
また、液相部ケースＣａの外周縁部には、円環状の挟持面ｍ１（図７参照）が形成されるとともに、気相部ケースＣｂの外周縁部には円環状の挟持面ｍ２（図８参照）が形成されており、液相部ケースＣａ及び気相部ケースＣｂを合致して組み付ける際、挟持面ｍ１と挟持面ｍ２との間に膜部材Ｍの周縁部Ｍａを挟持させることにより、膜部材Ｍをシールしつつ取付可能とされている。しかして、ケースＣの内部形成された空間は、膜部材Ｍによって液相部Ｓ１及び気相部Ｓ２に区画（画成）されている。
【００５２】
膜部材Ｍは、ケースＣ内に取り付けられたダイヤフラムから成り、液相部Ｓ１又は気相部Ｓ２の圧力変化に追従して変位又は変形可能な柔軟な材料にて形成されている。本実施形態に係る膜部材Ｍは、ケースＣに取り付けられて液相部ケースＣａ（第１ケース部）で覆われた液相部Ｓ１（第１収容空間）及び気相部ケースＣｂ（第２ケース部）で覆われた気相部Ｓ２（第２収容空間）を区画する弾性部材から成り、図９に示すように、周縁部Ｍａが側方に突出して形成されており、挟持面ｍ１、ｍ２にて挟持されるよう構成されている。そして、液相部Ｓ１内の液体の圧力（液圧）が小さい場合、図４に示すように、膜部材Ｍが液相部Ｓ１側に変位して気相部Ｓ２の容量が増大するとともに、液相部Ｓ１内の液体の圧力（液圧）が大きい場合、図５に示すように、膜部材Ｍが気相部Ｓ２側に変位して気相部Ｓ２の容量が減少するようになっている。
【００５３】
さらに、気相部ケースＣｂには、その底面の略中央に開口Ｃｂ１（図８参照）が形成されている。かかる開口Ｃｂ１は、気相部ケースＣｂの内周面（底面）に形成されて接続ポートＣ３の流路と気相部Ｓ２とを連通させ、膜部材Ｍの変位に応じて気相部Ｓ２の空気（気体）を流入又は流出させ得るようになっている。しかして、配管Ｋの一端を接続ポートＣ３に接続し、他端を圧力検出センサＰ（圧力検出部）に接続することにより、膜部材Ｍの変位に応じて開口Ｃｂ１から空気（気体）を流入又は流出させ、気相部Ｓ２の圧力を圧力検出センサＰにて検出することができるのである。なお、接続ポートＣ３は、配管Ｋに接続されるものに限らず、気相部Ｓ２の圧力を圧力センサＰに伝えることができる他の手段に接続されるものとしてもよい。さらに、気相部Ｓ２の凹部Ｃｂ４における開口Ｃｂ１の周りには、図８に示すように、開口Ｃｂ１を中心として放射状に突出した複数のリブＣｂ２が形成されている。
【００５４】
本実施形態に係る流入ポートＣ１は、液体の流路（血液回路）に接続可能な部位（突出部）から成るとともに、図４、５に示すように、液相部Ｓ１の流入口Ｃａ１（図７参照）から液体（血液）を流入させる流路部Ｃ１ａと、流路（血液回路）と接続し得る接続部Ｃ１ｂとを有して構成されている。すなわち、流路部Ｃ１ａ及び接続部Ｃ１ｂは、流入ポートＣ１を構成する突出部内において軸方向に連通して形成されており、接続部Ｃ１ｂに流路を構成するチューブを接続することにより、流路の液体を流路部Ｃ１ａにて流通させ、流入口Ｃａ１から液相部Ｓ１に流入させることができるのである。なお、流入ポートＣ１は、流路を構成するチューブを接続する凹形状であってもよい。
【００５５】
本実施形態に係る流出ポートＣ２は、液体の流路（血液回路）に接続可能な部位（突出部）から成るとともに、同図に示すように、液相部Ｓ１に流入した液体（血液）を流出口Ｃａ２（図７参照）から流出させる流路部Ｃ２ａと、流路（血液回路）と接続し得る接続部Ｃ２ｂとを有して構成されている。すなわち、流路部Ｃ２ａ及び接続部Ｃ２ｂは、流出ポートＣ２を構成する突出部内において軸方向に連通して形成されており、接続部Ｃ２ｂに流路を構成するチューブを接続することにより、液相部Ｓ１に流入した液体を流路部Ｃ２ａにて流通させ、下流側の流路（血液回路）に流出させることができるのである。なお、流出ポートＣ２は、流路を構成するチューブを接続する凹形状であってもよい。
【００５６】
一方、液相部ケースＣａ（第１ケース部）及び気相部ケースＣｂ（第２ケース部）の各周縁部には、図１０、１１に示すように、固定部Ｑ２、Ｑ３が形成されるとともに、液相部ケースＣａの周縁部における固定部Ｑ２、Ｑ３より内側（液相部ケースＣａ及び気相部ケースＣｂに対して内側）には、シール部Ｑ１が形成されている。なお、本実施形態においては、シール部Ｑ１が液相部ケースＣａの周縁部のみに形成されているが、気相部ケースＣｂの周縁部であって固定部Ｑ２、Ｑ３の内側のみに形成されたもの、又は液相部ケースＣａ及び気相部ケースＣｂの各周縁部であって固定部Ｑ２、Ｑ３の内側にそれぞれ形成されたものであってもよい。
【００５７】
固定部Ｑ２、Ｑ３は、液相部ケースＣａ及び気相部ケースＣｂのそれぞれの周縁部に形成され、当該液相部ケースＣａ及び気相部ケースＣｂを合致した状態で固定するための部位であり、本実施形態においては、図１０に示すように、液相部ケースＣａ及び気相部ケースＣｂを合致させた状態において対峙するとともに、図１１に示すように、液相部ケースＣａ及び気相部ケースＣｂが互いに近接する方向に押圧されつつ超音波が付与されることにより溶融し、液相部ケースＣａ及び気相部ケースＣｂを溶着させる部位とされている。すなわち、本実施形態に係る液相部ケースｃａ及び気相部ケースＣｂは、超音波溶着にて互いに圧着されつつ固定（溶着）され、内部に収容空間（液相部Ｓ１及び気相部Ｓ２）を形成するよう構成されているのである。
【００５８】
シール部Ｑ１は、液相部ケースＣａ又は気相部ケースＣｂの周縁部における固定部Ｑ２、Ｑ３より内側に形成され、挟持面ｍ１、ｍ２で挟持された膜部材Ｍを全周縁に亘ってシールする部位であり、本実施形態においては、図１０に示すように、液相部ケースＣａの挟持面ｍ１から気相部ケースＣｂの挟持面ｍ２に向かって突出形成された凸部から成り、図１１に示すように、液相部ケースＣａ及び気相部ケースＣｂが互いに近接する方向に押圧されつつ超音波が付与され、固定部Ｑ１、Ｑ２が溶融して固定が行われる過程において、膜部材Ｍの周縁部Ｍａを厚み方向に圧縮してシールする部位とされている。
【００５９】
ここで、固定部Ｑ２、Ｑ３が溶融して液相部ケースＣａ及び気相部ケースＣｂが固定されるとともに、シール部Ｑ１によるシールが行われると、固定部Ｑ２、Ｑ３とシール部Ｑ１との間に空隙部αが形成されることとなる。この空隙部αは、液相部ケースＣａ及び気相部ケースＣｂが溶着される際、これら液相部ケースＣａ及び気相部ケースＣｂが近接する過程で形成される空間から成り、シール部Ｑ１によって密閉されるため、本実施形態に係る逃がし部１１を有さない場合、圧力が過度に上昇してしまう虞がある。
【００６０】
逃がし部１１は、液相部ケースＣａ（第１ケース部）及び気相部ケースＣｂ（第２ケース部）が固定部Ｑ２、Ｑ３により固定される際に固定部Ｑ２、Ｑ３とシール部Ｑ１との間に形成された空隙α内の圧力を逃がすためのもので、本実施形態においては、図１２、１３に示すように、空隙αとケースＣの外部とを連通する連通部（連通孔）から成る。しかして、液相部ケースＣａ及び気相部ケースＣｂが溶着される際、これら液相部ケースＣａ及び気相部ケースＣｂが近接する過程で形成される空隙αの空気を逃がし部１１を介して外部に放出することができるので、空隙α内の圧力を逃がすことができる。
【００６１】
また、本実施形態に係る逃がし部１１は、空隙αの上部（液相部ケースＣａの上面部）に形成された連通部にて構成されているが、図１２に示すように、空隙αの下部（気相部ケースＣｂの下面部）に形成された連通部であってもよく、或いは空隙αの側部（液相部ケースＣａの側面部）に形成された連通部であってもよい。なお、逃がし部１１は、本実施形態のようにケースＣにおける１箇所のみに形成されたものの他、複数箇所（例えば、ケースＣの周方向に複数）に形成されたものであってもよい。
【００６２】
しかして、上記の如く製造された医療器具である圧力検出器１０は、ガラス転移点若しくは軟化点以下で加熱した後、冷却することによって、樹脂内の内部（残留）応力を取り除くアニーリング工程が行われる。そして、アニーリング工程の後、飽和蒸気中で加熱することによって滅菌する高圧蒸気滅菌が行われる。かかる高圧蒸気滅菌は、高圧な環境として沸点を上昇させ、高温でも水分を保つことができる環境下にて行われる。その後、乾燥工程を経ることにより、高圧蒸気滅菌で湿潤状態となった医療器具である圧力検出器１０を乾燥させる。
【００６３】
本実施形態によれば、空隙αとケースＣの外部とを連通する連通部（逃がし部１１）によって空隙α内の圧力を逃がすので、より確実且つ円滑に空隙α内の過度な圧力上昇を抑制することができる。なお、逃がし部１１を構成する連通部の開口形状は、丸形に限らず、楕円形状、矩形状又は異形状であってもよい。
【００６４】
次に、本発明の第２の実施形態に係る医療器具である圧力検出器１０について説明する。
本実施形態に係るかかる圧力検出器１０は、先の実施形態と同様、図１に示すように、静脈側血液回路２におけるダイアライザ３とエアトラップチャンバ５との間の位置に接続され、静脈側血液回路２（血液回路）を流れる血液の圧力を検出し得るよう構成されている。なお、先の実施形態と同様の部品には同一の符号を付し、それらの詳細な説明を省略する。
【００６５】
逃がし部１１は、先の実施形態と同様、液相部ケースＣａ（第１ケース部）及び気相部ケースＣｂ（第２ケース部）が固定部Ｑ２、Ｑ３により固定される際に固定部Ｑ２、Ｑ３とシール部Ｑ１との間に形成された空隙α内の圧力を逃がすためのもので、本実施形態においては、図１４〜１８に示すように、液相部ケースＣａ（第１ケース部）又は気相部ケースＣｂ（第２ケース部）の挟持面ｍ１、ｍ２（本実施形態においては、図１６に示すように、気相部ケースＣｂの挟持面ｍ２）に形成され、空隙αと液相部Ｓ１（第１収容空間）又は気相部Ｓ２（第２収容空間）（本実施形態においては、空隙αと気相部Ｓ２）とを連通する連通溝から成る。
【００６６】
この逃がし部１１を構成する連通溝は、図１４〜１６に示すように、液相部ケースＣａ及び気相部ケースＣｂが固定部Ｑ２、Ｑ３により溶着（固定）される際に連通状態（空隙αと気相部Ｓ２とが連通状態）とされて空隙α内に生じる圧力を気相部Ｓ２に逃がすとともに、その後、図１７、１８に示すように、膜部材Ｍに対するシール部Ｑ１による圧縮力によって、膜部材Ｍ（弾性膜）により閉塞されて成るものとされている。
【００６７】
本実施形態によれば、液相部ケースＣａ（第１ケース部）又は気相部ケースＣｂ（第２ケース部）の挟持面ｍ１、ｍ２に形成され、空隙αと液相部Ｓ１（第１収容空間）又は気相部Ｓ２（第２収容空間）とを連通する連通溝（逃がし部１１）によって、液相部ケースＣａ及び気相部ケースＣｂが固定部Ｑ２、Ｑ３により固定される際に空隙α内に生じる圧力を逃がすとともに、膜部材Ｍ（弾性膜）により閉塞するので、シール部Ｑ１と固定部Ｑ２、Ｑ３との間に形成された空隙α内の過度な圧力上昇を抑制することができるとともに、空隙α内の圧力を逃がした後に連通溝（逃がし部１１）を自然と閉塞させることができる。
【００６８】
次に、本発明の第３の実施形態に係る医療器具である圧力検出器１０について説明する。
本実施形態に係るかかる圧力検出器１０は、先の実施形態と同様、図１に示すように、静脈側血液回路２におけるダイアライザ３とエアトラップチャンバ５との間の位置に接続され、静脈側血液回路２（血液回路）を流れる血液の圧力を検出し得るよう構成されている。なお、先の実施形態と同様の部品には同一の符号を付し、それらの詳細な説明を省略する。
【００６９】
逃がし部１１は、先の実施形態と同様、液相部ケースＣａ（第１ケース部）及び気相部ケースＣｂ（第２ケース部）が固定部Ｑ２、Ｑ３により固定される際に固定部Ｑ２、Ｑ３とシール部Ｑ１との間に形成された空隙α内の圧力を逃がすためのもので、本実施形態においては、図１９〜２２に示すように、液相部ケースＣａ（第１ケース部）又は気相部ケースＣｂ（第２ケース部）における固定部Ｑ２、Ｑ３（本実施形態においては、図２０に示すように、気相部ケースＣｂに形成された固定部Ｑ３）の一部に形成された切欠き部から成る。
【００７０】
この逃がし部１１を構成する切欠き部は、図２１に示すように、液相部ケースＣａ及び気相部ケースＣｂが固定部Ｑ２、Ｑ３により固定される際に空隙α内に生じる圧力を逃がすとともに、その後、図２２に示すように、溶着時の圧接力による固定部Ｑ２、Ｑ３又はその周辺部位の溶融又は変形（本実施形態においては、圧縮による変形）によって閉塞されて成るものとされている。本実施形態に係る逃がし部１１は、空隙αの圧力を逃がした後、閉塞されるよう構成されているが、閉塞されず開口した状態であってもよい。なお、逃がし部１１は、本実施形態のようにケースＣにおける１箇所のみに形成されたものの他、複数箇所（例えば、ケースＣの周方向に複数）に形成されたものであってもよい。
【００７１】
本実施形態によれば、液相部ケースＣａ（第１ケース部）又は気相部ケースＣｂ（第２ケース部）における固定部Ｑ２、Ｑ３の一部に形成された切欠き部（逃がし部１１）によって空隙α内の圧力を逃がすので、固定部Ｑ２、Ｑ３の形成位置から空隙α内の圧力を逃がすことができる。特に、本実施形態に係る切欠き部（逃がし部１１）は、液相部ケースＣａ及び気相部ケースＣｂが固定部Ｑ２、Ｑ３により固定される際に空隙α内に生じる圧力を逃がすとともに、固定部Ｑ２、Ｑ３又はその周辺部位の溶融によって閉塞するので、シール部Ｑ１と固定部Ｑ２、Ｑ３との間に形成された空隙α内の過度な圧力上昇を抑制することができるとともに、空隙α内の圧力を逃がした後に切欠き部を自然と閉塞させることができる。
【００７２】
上記第１〜３の実施形態によれば、第１ケース部（液相部ケースＣａ）及び第２ケース部（気相部ケースＣｂ）のそれぞれの周縁部に形成され、当該第１ケース部及び第２ケース部を合致した状態で固定する固定部Ｑ２、Ｑ３と、第１ケース部及び第２ケース部のそれぞれの周縁部に形成され、弾性膜（膜部材Ｍ）の周縁を挟持する挟持面ｍ１、ｍ２と、第１ケース部又は第２ケース部の周縁部でにおける固定部Ｑ２、Ｑ３より内側に形成され、挟持面ｍ１、ｍ２で挟持された弾性膜（膜部材Ｍ）を全周縁に亘ってシールするシール部Ｑ１とを具備するとともに、固定部Ｑ２、Ｑ３とシール部Ｑ１との間に形成された空隙α内の圧力を逃がし部１１で逃がすので、空隙α内の過度な圧力上昇を抑制することにより、品質向上及び信頼性向上を図ることができる。
【００７３】
特に、本実施形態によれば、液相部ケースＣａ（第１ケース）部及び気相部ケースＣｂ（第２ケース部）が固定部Ｑ２、Ｑ３により固定される際に空隙α内に生じる圧力を逃がすので、製造後、医療器具である圧力検出器１０に対して高圧蒸気滅菌を施す場合、アニール処理を施す場合又は使用環境が高温となる場合において、空隙αの圧力上昇を抑制することができる。
【００７４】
さらに、本実施形態に係るケースＣは、液体の流路に接続可能とされ、第１収容空間が流路の液体を充填し得る液相部Ｓ１、第２収容空間が気体を充填し得る気相部Ｓ２とされるとともに、弾性膜は、液相部と気相部とを区画して液相部に充填された液体の圧力に応じて変位可能な膜部材Ｍから成り、気相部Ｓ２の圧力を検出することにより流路における液体の圧力を検出する圧力検出器１０から成るので、シール部Ｑ１と固定部Ｑ２、Ｑ３との間に形成された空隙α内の過度な圧力上昇を抑制することにより、圧力検出器１０の品質向上及び信頼性向上を図ることができる。
【００７５】
以上、本実施形態について説明したが、本発明はこれに限定されるものではなく、例えば図２３に示すように、液相部ケースＣａ及び気相部ケースＣｂが固定部Ｑ２、Ｑ３により固定（溶着）される際に、空隙α内に生じる圧力によって膨張又は変位して当該圧力を逃がす逃がし部（１１、１２）としてもよい。かかる逃がし部（１１、１２）は、空隙αとケースＣの外部とを連通する連通部１１と、膜部材Ｍと同等の弾力若しくは膜部材Ｍより弾力が高い弾性部材から成る可撓性部品１２とを有し、間隙α内の圧力が高くなると、可撓性部品１２が連通部１１内で膨張又は変位して圧力を逃がすよう構成されている。
【００７６】
また、空隙αとケースＣの外部とを連通する連通部１１に代えて、図２４に示すように、空隙αに形成された凹部１１’としてもよく、この場合、間隙α内の圧力が高くなると、可撓性部品１２が凹部１１’内で膨張又は変位して圧力を逃がすこととなる。このように、圧力の変化に応じて膨張又は変位させることによって、シール部Ｑ１と固定部Ｑ２、Ｑ３との間に形成された空隙α内の過度な圧力上昇を抑制することができる。
【００７７】
さらに、図２５に示すように、空隙αとケースＣの外部とを連通する連通部から成る逃がし部１１が形成されるとともに、その連通部の開口縁部に突出部位１３を形成し、液相部ケースＣａ及び気相部ケースＣｂが固定部Ｑ２、Ｑ３により固定（溶着）される際に間隙αに生じる圧力を外部に逃がした後、図２６に示すように、突出部位１３が溶融（スウェージング）して閉塞部１４を形成し、連通部を閉塞するようにしてもよい。
【００７８】
加えて、空隙αとケースＣの外部とを連通する連通部から成る逃がし部１１が形成されるとともに、液相部ケースＣａ及び気相部ケースＣｂが固定部Ｑ２、Ｑ３により固定（溶着）される際に間隙αに生じる圧力を外部に逃がした後、図２７に示すように、別体の栓部材１５により連通部を閉塞（プラグ）するよう構成してもよい。この場合、製造後の医療器具である圧力検出器１０に連通部の開口が残ってしまうのを回避することができ、当該連通部の開口から異物等が侵入してしまうのを防止することができる。
【００７９】
さらに加えて、空隙αとケースＣの外部とを連通する連通部から成る逃がし部１１が形成されるとともに、液相部ケースＣａ及び気相部ケースＣｂが固定部Ｑ２、Ｑ３により固定（溶着）される際に間隙αに生じる圧力を外部に逃がした後、図２８に示すように、別体のフィルタ部材１６により連通部を閉塞するよう構成してもよい。この場合、製造後の医療器具である圧力検出器１０に連通部の開口がそのまま残ってしまうのを回避することができ、当該連通部の開口から異物等が侵入してしまうのを防止することができる。なお、図２７にて示された栓部材１５及び図２８にて示されたフィルタ部材１６は、連通部１１の外側開口上を塞ぐ板状の部材であってもよい。
【００８０】
さらに、図２９に示すように、膜部材Ｍの内部に密閉空間１７を形成するとともに、液相部ケースＣａ及び気相部ケースＣｂが固定部Ｑ２、Ｑ３により固定（溶着）される際に密閉空間１７によって間隙αに生じる圧力を外部に逃がすようにしてもよい。すなわち、間隙αの圧力が上昇すると、密閉空間１７の体積が小さくなって圧力を逃がすことができるのである。
【００８１】
一方、医療器具である圧力検出器１０の製造過程において、図３０、３１に示すように、液相部ケースＣａ（第１ケース部）及び気相部ケースＣｂ（第２ケース部）を合致した状態で治具Ｒに固定させ、挟持面ｍ１、ｍ２で挟持された膜部材Ｍ（弾性膜）を全周縁に亘ってシールするとともに、治具Ｒは、固定部Ｑ２、Ｑ３とシール部Ｑ１との間に形成された空隙α内の圧力を逃がす治具逃がし部Ｒａが形成されたものであってもよい。かかる治具逃がし部Ｒａは、治具Ｒに形成された流通路から成り、連通部１１と外部とを連通して圧力を逃がすようになっている。なお、同図においては、液相部ケースＣａが治具Ｒに載置され、その上に気相部ケースＣｂを合致させた状態とされているが、気相部ケースＣｂを治具Ｒ上に載置し、その上に液相部ケースＣａを合致させた状態とするようにしてもよい。
【００８２】
これにより、製造過程において、より確実に空隙α内に蓄圧することなく圧力を逃がすことができるとともに、液相部ケースＣａ（第１ケース部）及び気相部ケースＣｂ（第２ケース部）の相対的な位置ずれを抑制して精度よく固定させることができる。特に、超音波溶着やレーザ溶着にて固定部Ｑ２、Ｑ３を溶融させて固着させる場合、本治具Ｒを適用すれば、治具逃がし部Ｒａにより空隙α内の空気を外部に逃がすことができるので、溶融した樹脂が液相部ケースＣａと気相部ケースＣｂとの間の隙間β（図３１で示すように、液相部ケースＣａと気相部ケースＣｂとを合致させた際に生じる隙間）に溶け出してバリが形成されてしまうのを防止することができる。
【００８３】
また、連通部１１は、ケースＣの周方向に複数形成することができ、例えば図３２、３３に示すように、開口が丸形状の連通部１１を液相部ケースＣａ（気相部ケースＣｂ、若しくは液相部ケースＣａ及び気相部ケースＣｂの両方であってもよい）の周方向に複数形成したもの、又は図３４、３５に示すように、開口が矩形状の連通部１１を液相部液相部ケースＣａ（気相部ケースＣｂ、若しくは液相部ケースＣａ及び気相部ケースＣｂの両方であってもよい）の周方向に複数形成したものであってもよい。特に、図３４、３５に示すものによれば、全体形状が格子状となってケースＣの強度を維持させることができる。
【００８４】
しかるに、上記実施形態に係る逃がし部１１は、液相部ケースＣａ（第１ケース部）及び気相部ケースＣｂ（第２ケース部）が固定部Ｑ２、Ｑ３により固定（溶着）される際に空隙α内に生じる圧力を逃がすものとされているが、アニーリング時、高圧蒸気滅菌時又は高温環境下での使用時等、液相部ケースＣａ及び気相部ケースＣｂの固定時（溶着時）とは異なるタイミングで空隙α内の圧力を逃がすものとしてもよい。
【００８５】
また、本実施形態においては、固定部Ｑ２、Ｑ３を超音波にて溶融させることにより液相部ケースＣａ（第１ケース部）及び気相部ケースＣｂ（第２ケース部）を溶着させ、その溶着の過程において逃がし部１１にて空隙αの圧力を逃がしているが、超音波溶着に限らず他の固定（レーザ溶着、又は専ら圧入若しくはやネジ止めによる組み付け等）の過程で空隙αの圧力を逃がすようにしてもよい。
【００８６】
さらに、本実施形態に係る圧力検出器１０は、静脈側血液回路２におけるダイアライザ３とエアトラップチャンバ５との間の位置に接続されているが、血液回路における他の位置（例えば、動脈側血液回路１における先端と血液ポンプ４との間の位置、動脈側血液回路１における血液ポンプ４とダイアライザ３との間の位置）に接続するようにしてもよい。本圧力検出器１０が接続される血液回路は、他の形態のものであってもよく、例えばエアトラップチャンバ５が接続されず、代わりに本圧力検出器１０が接続されるものであってもよい。
【００８７】
またさらに、液相部ケースＣａに形成される流入ポートＣ１及び流出ポートＣ２は、上記実施形態の如く２つのものに限定されず、例えば図３６、３７に示すように、単一のポートＣ４が形成されたもの、又は図３８、３９に示すように、５つのポート（Ｃ５〜Ｃ９）が形成されたものであってもよい。なお、図３８、３９に示すものの場合、液相部ケースＣａに形成されるポートの数は、５つに限らず、４つ、５つ若しくは７つ以上有するものであってもよい。
【００８８】
なお、本実施形態においては、透析治療における血液回路の圧力検出器１０として適用されているが、第１ケース部及び第２ケース部を合致して形成され、内部に収容空間を有するケースと、ケースに取り付けられて第１ケース部で覆われた第１収容空間及び第２ケース部で覆われた第２収容空間を区画する弾性部材から成る弾性膜と、第１ケース部及び第２ケース部のそれぞれの周縁部に形成され、当該第１ケース部及び第２ケース部を合致した状態で固定する固定部と、第１ケース部及び第２ケース部のそれぞれの周縁部に形成され、弾性膜の周縁を挟持する挟持面と、第１ケース部又は第２ケース部の周縁部における固定部より内側に形成され、挟持面で挟持された弾性膜を全周縁に亘ってシールするシール部とを具備した他の医療器具（例えば、ダイヤフラムポンプ等）に適用することができる。
【００８９】
例えば、図３６、３７で示すものをダイアフラムポンプとして適用する場合、接続ポートＣ３にエアポンプ２０及び圧力センサ２１を接続するとともに、液体の流路にポートＣ４を接続し、流路の上流側にバルブＶａ、下流側にバルブＶｂを取り付けて制御するようにしてもよい。この場合、バルブＶａを開状態且つバルブＶｂを閉状態としつつエアポンプ２０を駆動させ、膜部材Ｍを気相部ケースＣｂ（第２ケース部）の壁面に張り付かせる方向に移動させることにより、液体を液相部ケースＣａ内に導くとともに、バルブＶａを閉状態且つバルブＶｂを開状態としつつエアポンプ２０を反対側に駆動させ、膜部材Ｍを液相部ケースＣａ（第１ケース部）の壁面に張り付かせる方向に移動させることにより、液相部ケースＣａ内の液体を吐出させることができる。このようなエアポンプ２０の駆動及びバルブＶａ、Ｖｂの作動を繰り返し行わせることにより、ダイアフラムポンプとして機能させることができる。また、同図においては、圧力センサ２１にて膜部材Ｍが液相部ケースＣａ（第１ケース部）又は気相部ケースＣｂ（第２ケース部）の壁面に張り付いたことを検知させることができるものとされているが、このような圧力センサ２１を具備しないものとしてもよい。
【００９０】
さらに、例えば、図３８、３９で示すものをダイアフラムポンプとして適用する場合、接続ポートＣ３にエアポンプ２０及び圧力センサ２１を接続するとともに、液体の流路にポートＣ５〜Ｃ９をそれぞれ接続し、各流路にバルブＶ１〜Ｖ５を取り付けて制御するようにしてもよい。この場合、バルブＶ１を開状態且つ他のバルブＶ２〜Ｖ５を閉状態としつつエアポンプ２０を駆動させ、膜部材Ｍを気相部ケースＣｂ（第２ケース部）の壁面に張り付かせる方向に移動させることにより、液体を液相部ケースＣａ内に導くとともに、バルブＶ１を閉状態且つ他のバルブＶ２〜Ｖ５を開状態としつつエアポンプ２０を反対側に駆動させ、膜部材Ｍを液相部ケースＣａ（第１ケース部）の壁面に張り付かせる方向に移動させることにより、液相部ケースＣａ内の液体を吐出させることができる。このようなエアポンプ２０の駆動及びバルブＶ１〜Ｖ５の作動を繰り返し行わせることにより、ダイアフラムポンプとして機能させることができる。また、同図においては、圧力センサ２１にて膜部材Ｍが液相部ケースＣａ（第１ケース部）又は気相部ケースＣｂ（第２ケース部）の壁面に張り付いたことを検知させることができるものとされているが、このような圧力センサ２１を具備しないものとしてもよい。
【００９１】
なお、上記の実施形態の場合、ポートＣ５が液体を流入させる流入ポート、他のポート（Ｃ６〜Ｃ９）が液体を流出させる流出ポートとされているが、バルブＶ１〜Ｖ５の開閉タイミングを任意に変更することにより、流入ポート及び流出ポートを任意組み合わせとすることができる。すなわち、膜部材Ｍを気相部ケースＣｂ（第２ケース部）の壁面に張り付かせる方向に移動させる際、バルブＶ１〜Ｖ５にて開状態とされた流路のポート（１つに限らず任意に選択可能）が流入ポートとなり、膜部材Ｍを液相部ケースＣａ（第１ケース部）の壁面に張り付かせる方向に移動させる際、バルブＶ１〜Ｖ５にて開状態とされた流路のポート（１つに限らず任意に選択可能）が流入ポートとなる。
【産業上の利用可能性】
【００９２】
固定部とシール部との間に形成された空隙内の圧力を逃がす逃がし部が形成された医療器具及びその製造方法であれば、他の形態及び用途のものにも適用することができる。
【符号の説明】
【００９３】
１  動脈側血液回路
２  静脈側血液回路
３  ダイアライザ（血液浄化器）
４  血液ポンプ
５  エアトラップチャンバ
６  透析装置本体
７  収容手段
８  エアトラップチャンバ
９  クランプ手段
１０  圧力検出器（医療器具）
１１  逃がし部
１２  逃がし部
１３  突出部位
１４  閉塞部
１５  栓部材
１６  フィルタ部材
１７  密閉空間
Ｌ１  透析液導入ライン
Ｌ２  透析液排出ライン
Ｌ３  生理食塩液供給ライン
Ｃ  ケース
Ｃａ  液相部ケース（第１ケース部）
Ｃａ１  流入口
Ｃａ２  流出口
Ｃｂ  気相部ケース（第２ケース部）
Ｃｂ１  開口
Ｃｂ２  リブ
Ｃｂ３  凸部
Ｃｂ４  凹部
Ｃ１  流入ポート
Ｃ１ａ  流路部
Ｃ１ｂ  接続部
Ｃ２  流出ポート
Ｃ２ａ  流路部
Ｃ２ｂ  接続部
Ｃ３  接続ポート
Ｍ  膜部材（弾性膜）
Ｍａ  周縁部
Ｐ  圧力センサ（圧力検出部）
Ｓ１  液相部（第１収容空間）
Ｓ２  気相部（第２収容空間）
Ｋ  配管部
Ｑ１  シール部
Ｑ２、Ｑ３  固定部
ｍ１、ｍ２  挟持面
α  空隙
Ｒ  治具
Ｒａ  治具逃がし部
【図１】
2019219363.tif 000003
【図２】
2019219363.tif 000004
【図３】
2019219363.tif 000005
【図４】
2019219363.tif 000006
【図５】
2019219363.tif 000007
【図６】
2019219363.tif 000008
【図７】
2019219363.tif 000009
【図８】
2019219363.tif 000010
【図９】
2019219363.tif 000011
【図１０】
2019219363.tif 000012
【図１１】
2019219363.tif 000013
【図１２】
2019219363.tif 000014
【図１３】
2019219363.tif 000015
【図１４】
2019219363.tif 000016
【図１５】
2019219363.tif 000017
【図１６】
2019219363.tif 000018
【図１７】
2019219363.tif 000019
【図１８】
2019219363.tif 000020
【図１９】
2019219363.tif 000021
【図２０】
2019219363.tif 000022
【図２１】
2019219363.tif 000023
【図２２】
2019219363.tif 000024
【図２３】
2019219363.tif 000025
【図２４】
2019219363.tif 000026
【図２５】
2019219363.tif 000027
【図２６】
2019219363.tif 000028
【図２７】
2019219363.tif 000029
【図２８】
2019219363.tif 000030
【図２９】
2019219363.tif 000031
【図３０】
2019219363.tif 000032
【図３１】
2019219363.tif 000033
【図３２】
2019219363.tif 000034
【図３３】
2019219363.tif 000035
【図３４】
2019219363.tif 000036
【図３５】
2019219363.tif 000037
【図３６】
2019219363.tif 000038
【図３７】
2019219363.tif 000039
【図３８】
2019219363.tif 000040
【図３９】
2019219363.tif 000041